(57)【要約】【課題】  相手側コネクタとの嵌合時に、相手側によりスライドカムを押圧してストッパを回転させ、フローティングインシュレータのロック解除を行うようにしたので、未嵌合時には固定され、嵌合後には、動くことができるフローティングコネクタを提供すること。【解決手段】  フローティングコネクタ１０１において、嵌合部１５，１７は第１の方向にフローティング可能に構成され、前記嵌合部１５，１７は、相手側コネクタと嵌合し終えるまで、固定されており、前記相手側コネクタと嵌合し終えると、前記第１の方向へフローティング可能に構成されている。【選択図】    図１
2006059788.tif 000002
【特許請求の範囲】
【請求項１】
嵌合部と固定部とを備えたフローティングコネクタにおいて、相手側コネクタとの嵌合方向である第１の方向にフローティング可能に構成されるとともに前記相手側コネクタと完全に嵌合するまでは前記第１の方向にフローティングしないように構成されていることを特徴とするフローティングコネクタ。
【請求項２】
請求項１に記載のフローティングコネクタにおいて、更に柔軟性のある板状のコンタクトを備え、前記コンタクトは前記嵌合部と前記固定部に各々固定され、前記コンタクトの長さ方向の固定領域は、固定されない領域よりもその長さが短いことを特徴とするフローティングコネクタ。
【請求項３】
請求項１又は２に記載のフローティングコネクタにおいて、前記第１の方向と交錯する第２の方向と前記第１及び第２の方向と交錯する第３の方向にフローティング可能な可動インシュレータを備えることを特徴とするフローティングコネクタ。
【請求項４】
請求項１乃至３の内のいずれか一つに記載のフローティングコネクタにおいて、第１の方向へのフローティング固定の為のスライドカムとストッパとを備えたロック機構を備え、未嵌合の場合は前記第１方向のフローティングをロックし、嵌合の際、前記スライドカムを押圧し、前記ストッパが回転する事により、前記第１の方向へのフローティングが可能となるように構成されていることを特徴とするフローティングコネクタ。
【請求項５】
請求項２乃至４の内のいずれか一つに記載のフローティングコネクタおいて、前記コンタクトは嵌合部側先端で折り返した形状を備え、前記コンタクトの嵌合部と折り返した部分の２か所が嵌合部インシュレータに固定されていることを特徴とするフローティングコネクタ。
【請求項６】
請求項２乃至５の内のいずれか一つに記載のフローティングコネクタにおいて、前記コンタクトは複数列に設けられ、前記コンタクトの一面側に絶縁物を挟んでグランドとなる金属板により構成されていることを特徴とするフローティングコネクタ。
【請求項７】
請求項５に記載のフローティングコネクタにおいて、前記相手側コンククトとグランド接続するために、前記コンタクトの折り返した部分にバネ接点を設け、相手側との嵌合時に、前記コンタクト裏面金属と接続することを特徴とするフローティングコネクタ。
【発明の詳細な説明】
【技術分野】
【０００１】
本発明は、相手側コネクタとの嵌合部が、嵌合方向に交差する方向（Ｘ軸及びＹ軸方向）に移動可能なフローティングコネクタに関し、詳しくは、ハードディスクドライブ等のＳＡＴＡ（Ｓｅｒｉａｌ  ＡＴ  Ａｔｔａｃｈｍｅｎｔ）用コネクタへの接続に用いられるフローティングコネクタに関する。
【背景技術】
【０００２】
従来、ハードディスクドライブ装置（ＨＤＤ）のＳＡＴＡ用コネクタ等への接続に、嵌合部が嵌合方向に直交する方向で、且つ互いに直交する方向（Ｘ軸及びＹ軸方向）に移動可能なフローティングコネクタが用いられている。
【０００３】
図１８は従来技術によるこの種のフローティングコネクタを示す断面図（特許文献１、参照）で、図１８（ａ）及び図１８（ｂ）は組み立て工程を夫々示している。図１８（ａ）及び（ｂ）に示すように、フローティングコネクタ１０５は、左右両側のスライドインシュレータ５１、ベースインシュレータ５２、並びに、スライドインシュレータ５１及びベースインシュレータ５２にモールドインされたコンタクト５３から構成されている。
【０００４】
コンタクト５３のスライドインシュレータ５１及びベースインシュレータ５２へのモールドイン構造を一方側について説明すると、コンタクト５３は、一端部５３ａ、挿通部５３ｂ、フローティング部５３ｃ、挿通部５３ｄ及び他端部５３ｅから構成されている。挿通部５３ｂは、スライドインシュレータ５１のモールドイン部５１ｂに固定され、また、挿通部５３ｄは、ベースインシュレータ５２のモールドイン部５２ａに固定され、成形後、コンタクト５３の一端部５３ａと他端部５３ｅは、各先端付近を一点鎖線の箇所で切断される。
【０００５】
このコネクタを組み立てるには、まず、図１８（ａ）に示されるように、コネクタの一方側のコンタクト５３のフローティング部５３ｃをスライドインシュレータ５１の突出部５１ｃに沿って曲げ込み、ベースインシュレータ５２を外側へ移動させる。コネクタの他方側についても、同様に行なう。
【０００６】
次に、図１８（ｂ）に示されるように、スライドインシュレータ５１とベースインシュレータ５２を同一水平面上に配置し、コンタクト５３の一端部５３ａと他端部５３ｅの各先端の不要な部分を再度切断する。この後、コンタクト５３の一端部５３ａを折曲してスライドインシュレータ５１の係合部５１ａに係合させ、他端部５３ｅもベースインシュレータ５２の底部５２ｂに沿わせて折曲し、プリント基板への接続部を形成する。続いて、コネクタの左右両側のスライドインシュレータ５１同士とベースインシュレータ５２同士を、それぞれ矢印方向に接近させて合致させ、接着、溶着、金具による圧入等の方法によって固定する。
【０００７】
特許文献１と同様に、嵌合部が幅方向（Ｘ軸方向）及び高さ方向（Ｙ軸方向）に変位可能なコネクタとして、特許文献２に開示されたものもある。
【０００８】
しかしながら、従来のフローティングコネクタは、未嵌合時、自由にＸ軸及びＹ軸方向に動いていた。また、コンタクトのみでフローティングインシュレータを保持していたため、嵌合部に衝撃が加わると嵌合部が動き、コンタクトが変形する等の悪影響を及ぼしていた。
【０００９】
【特許文献１】特開平１０−３２１２９０号公報
【特許文献２】特開２００２−９３５３１号公報
【発明の開示】
【発明が解決しようとする課題】
【００１０】
そこで、本発明の一技術的課題は、相手側コネクタとの嵌合時に、フローティングインシュレータのロック解除を行うようにして、未嵌合時には固定され、嵌合後には、フローティング可能なフローティングコネクタを提供することにある。
【００１１】
また、本発明のもう一つの技術的課題は、相手側コネクタとの未嵌合時に、固定されているので、嵌合部に衝撃等が加わっても動くことがないフローティングコネクタを提供することにある。
【００１２】
また、本発明の更に、もう一つの技術的課題は、相手側コネクタとの嵌合後にはロック解除され、自由にフローティングすることができるフローティングコネクタを提供することにある。
【００１３】
また、本発明の別の技術的課題は、Ｘ軸，Ｙ軸，及びＺ軸方向の全ての方向にフローティング可能なフローティングコネクタを提供することにある。
【００１４】
また、本発明の他の技術的課題は、相手側コネクタを接続した後の位置ズレを吸収することができるコネクタを提供することにある。
【課題を解決するための手段】
【００１５】
本発明によれば、嵌合部と固定部とを備えたフローティングコネクタにおいて、相手側コネクタとの嵌合方向である第１の方向にフローティング可能に構成されるとともに前記相手側コネクタと完全に嵌合するまでは前記第１の方向にフローティングしないように構成されていることを特徴とするフローティングコネクタが得られる。なお、本発明において、相手側コネクタと、完全に嵌合する前もしくは嵌合途中に、第１の方向、第２の方向及び第３の方向の少なくとも一方向に、あるいは第１の方向以外にフローティングしてもよい。
【００１６】
また、本発明によれば、前記フローティングコネクタにおいて、更に柔軟性のある板状のコンタクトを備え、前記コンタクトは前記嵌合部と前記固定部に各々固定され、前記コンタクトの長さ方向の固定領域は、固定されない領域よりもその長さが短いことを特徴とするフローティングコネクタが得られる。
【００１７】
また、本発明によれば、前記フローティングコネクタにおいて、前記第１の方向と交錯する第２の方向と前記第１及び第２の方向と交錯する第３の方向にフローティング可能な可動インシュレータを備えることを特徴とするフローティングコネクタが得られる。ここで、本発明において、可動インシュレータと固定インシュレータとは、一体で構成しても良く、また、別体で構成してもよい。
【００１８】
また、本発明によれば、前記フローティングコネクタにおいて、第１の方向へのフローティング固定の為のスライドカム及びストッパとを備えたロック機構を備え、未嵌合の場合は前記第１方向のフローティングをロックし、嵌合の際、前記スライドカムを押圧し、前記ストッパが動作する事により、前記第１の方向へのフローティングが可能となるように構成されていることを特徴とするフローティングコネクタが得られる。
【００１９】
ここで、本発明において、ストッパの動作は、回転運動であってもスライドするだけの運動であっても、フローティング可能となれば良い。
【００２０】
本発明によれば、前記いずれか一つのフローティングコネクタおいて、前記コンタクトは嵌合部側先端で折り返した形状を備え、前記コンタクトの嵌合部と折り返した部分の２か所が嵌合部インシュレータに固定されていることを特徴とするフローティングコネクタが得られる。
【００２１】
また、本発明によれば、前記いずれかのフローティングコネクタにおいて、前記コンタクトは複数列に設けられ、前記コンタクトの一面側に絶縁物を挟んでグランドとなる金属板により構成されていることを特徴とするフローティングコネクタが得られる。
【００２２】
また、本発明によれば、前記フローティングコネクタにおいて、前記相手側コンククトとグランド接続するために、前記コンタクトの折り返した部分にバネ接点を設け、相手側との嵌合時に、コンタクト裏面金属と接続する特徴とするフローティングコネクタが得られる。
【発明の効果】
【００２３】
本発明に係るフローティングコネクタでは、相手側コネクタとの嵌合時に、相手側によりスライドカムを押圧してストッパを回転させ、フローティングインシュレータのロック解除を行うようにしたので、未嵌合時には固定され、嵌合後には、動くことができるフローティングコネクタを提供することができる。
【００２４】
また、本発明に係るフローティングコネクタでは、未嵌合時には、固定されているので、嵌合部に衝撃等が加わっても動くことがないフローティングコネクタを提供することができる。
【００２５】
また、本発明に係るフローティングコネクタでは、嵌合後にはロック解除され、自由にフローティングすることができるフローティングコネクタを提供することができる。
【００２６】
また、本発明に係るフローティングコネクタでは、Ｘ軸，Ｙ軸，及びＺ軸方向の全ての方向にフローティング可能なフローティングコネクタを提供することができる。
【００２７】
また、本発明に係るフローティングコネクタでは、相手側コネクタを接続した後の位置ズレを吸収することができるコネクタを提供することができる。
【発明を実施するための最良の形態】
【００２８】
以下、本発明の実施の形態について図面を参照しながら説明する。
【００２９】
図１（ａ）は本発明の第１の実施の形態によるフローティングコネクタを示す正面図、図１（ｂ）は図１（ａ）のＩＢ−ＩＢ線断面を示す部分斜視図である。図２は図１（ａ）及び（ｂ）のフローティングコネクタを示す部分斜視図である。図３は図１（ａ）のフローティングコネクタの分解組立斜視図である。図４（ａ）は図１のフローティングコネクタと、相手側コネクタとの嵌合状態を示す平面図、図４（ｂ）は図４（ａ）の正面図、図４（ｃ）は図４（ａ）の側面図である。図５（ａ）は図４（ａ）のＶＡ−ＶＡ線断面図、図５（ｂ）は図４（ａ）のＶＢ−ＶＢ線に沿う断面図である。図６（ａ）は図１（ａ）のコネクタの金属板を示す平面図、（ｂ）は斜視図、（ｃ）は正面図、（ｄ）は側面図である。
【００３０】
図１（ａ）、図１（ｂ）、図２乃至図４、及び図６（ａ）乃至（ｄ）を参照すると、本発明の第１の実施の形態によるフローティングコネクタ１０１は、相手側コネクタと嵌合方向である第１の方向（Ｚ軸方向）に嵌合する嵌合部１５及び１８を備えた嵌合部インシュレータ２０と、可動インシュレータ３３と、固定インシュレータ４０とを備えている。さらに、固定インシュレータ４０には、コンタクト部１０の一端が埋設されている。また、嵌合部インシュレータ２０には、Ｌ字形状のストッパ２５が設けられ、また、一端には、スライドカム２２が設けられる。
【００３１】
嵌合部インシュレータ２０は、断面コ字形状の箱体からなる嵌合部インシュレータ本体１１と、両側に設けられた矩形のガイド部１２とを備えている。嵌合部インシュレータ本体１１の正面には、嵌合部１５，１８が夫々設けられ、嵌合部１５，１８の夫々の天井面には、後に詳しく述べるコンタクト１の先端部４を収容するための溝１６，１７が夫々設けられている。
【００３２】
図示の例においては、コンタクト部１０は、固定インシュレータ４０の一側にしか設けられていないが、同様のコンタクト部を、固定インシュレータ４０の他側に設けることも可能である。
【００３３】
可動インシュレータ３０は、嵌合部インシュレータ２０を内部に収容可能な箱型で、前方に開口した収容部３２を備えた可動インシュレータ本体３１と、可動インシュレータ本体３１の後端両側で後方に突出し、外側に向かって折れ曲がって延びるＬ字形状のフローティング係合片３４を備え、本体３１と係合片３４との間に、上下方向（Ｙ軸方向）である第２の方向に貫通するとともに、幅方向（Ｘ軸方向）である第３の方向外側に向かって開口した係合溝３５，３５を夫々形成している。
【００３４】
固定インシュレータ４０は、コ字形状を備え、幅方向である第３の方向に長い固定インシュレータ本体４１と、固定インシュレータ本体４１の両側で、第３の方向に延びるとともに上下方向である第２の方向に延びて起立した第１のフローティングガイド片４２，４２と、第１のフローティングガイド片４２，４２の夫々の外側に設けられた上下方向及び前後方向によって規定される平板状の第２フローティングガイド片４３，４３とを備えている。固定インシュレータ本体４１は後方に幾分切り込まれた段部４５と、底面からやや上方に窪んだ段部４４を備えている。
【００３５】
コンタクト部１０は、並行に並んだ複数のコンタクト１，１，…と、複数のコンタクト１の一部を支持するように設けられた平面状のフレキシブルな絶縁体７と、絶縁体７の裏面を覆う図６（ａ）乃至（ｄ）に示された金属板６とを備え、コンタクト１と金属板６とによって絶縁体７を挟み込んだ形状である。絶縁体７の一部はコンタクト１の元部３に設けられ、絶縁体７の保持部は、コンタクト１の支持部２に設けられる。
【００３６】
ここで、金属板６は図６（ａ）乃至（ｄ）に示すように、金属薄板からなる。なお、突出部６ａは固定インシュレータ本体４１に装着されるものである。
【００３７】
本発明の第１の実施の形態によるフローティングコネクタ１０１を、ＨＤＤのＳＡＴＡ用等の高速伝送用コネクタとして用いる場合に、コンタクト１のインピーダンスマッチングを取るため、並列に並んだコンタクト１に絶縁体をはさんでグランドとなる金属板６を張り合わせることで、インピーダンスマッチングを図ることができる。なお、図５（ａ）および図５（ｂ）において、絶縁体７は金属板６とほぼ同形状を有しているので、その図示は省略されている。
【００３８】
図１乃至３に示されるように、コンタクト１は、円弧状の支持部２と、そこから延びる元部３と、折り返した先端部４と、後方に延びる折り返し部５とを備えている。
【００３９】
図５（ａ）及び図５（ｂ）に最も良く示されるように、コンタクト１の先端部４と折り返し部５との間には、下方に丸く突出した接触部１ａが形成されている。コンタクト１の先端部４寄りの元部３及び折り返し部５はともに、嵌合部インシュレータ２０の嵌合部インシュレータ本体１１に保持される。ここで、図５（ａ）に示すコンタクトは、信号用のコンタクトである。また、図５（ｂ）に示すコンタクトはグランド用コンタクトであり、折り返し部５の先端１ｂが金属板６に接触する構成である。
【００４０】
一方、円弧状の支持部２は、固定インシュレータ４０の固定インシュレータ本体４１を上下方向に貫通して、下方に延び、後方を向くように折れ曲がって、コネクタの下端において、夫々後方を向いて端子部２ａを夫々形成するように、固定インシュレータ本体４１の一側よりに植設されている。コンタクト部１０の夫々のコンタクト１は、嵌合部インシュレータ２０と固定インシュレータ４０に固定されている。このようにコンタクト１は、嵌合部インシュレータ２０が動き易いように、コンタクト１に柔軟性を持たせるため、板厚を薄くして、固定されない領域を固定された領域よりも長くとっている構成である。また、コンタクト１に柔軟性を持たせるために板厚を薄くした分、図示しないＨＤＤ等のコネクタの相手側コンタクトとの接触力が小さくなる。従って，接触力を大きくするために、それぞれのコンタクト１をコネクタの嵌合部側の先端で折り返し、元の部分３と折り返した部分５の２箇所を嵌合部インシュレータ本体１１に固定している。このように、コンタクト１を２重構造にすることによって、コンタクト１のバネ定数を大きくでき、接触力を大きくすることができる。
【００４１】
また、相手側コンタクト６３とグランドの接続をとるため、前述したように、コンタクト１を折り返した部分５にばね性を持たせた接触部１ａを設ける事により、コンタクト１の裏面にあるグランドである図５（ｂ）に示した金属板６とコンタクト１の接触部１ｂとを接続させる。
【００４２】
ストッパ２５は、可動インシュレータ３０と嵌合部インシュレータ２０との第１の方向への移動を阻止（ロック）するために設けられている。このストッパ２５はＬ字形状の板体２５ｃと、Ｌ字の略中央部に、上方に突出した回転軸２５ａと、Ｌ字の一端の下方に突出したガイド軸２５ｂとを備えている。回転軸２５ａは、ガイド片１２の軸孔１３に挿入される。一方、ガイド軸２５ｂは、スライドカム２２の一面に形成されたカム溝２４に挿入される。
【００４３】
スライドカム２２は、スライドカム２２の一面を第１の方向に貫通して設けられたガイド溝２３と、後方から前方に第１の方向に設けられた直線部分と、この直線部分の前端から前方外側に向かって曲線を描いて外側に至る略Ｓ字形状のカム溝２４とを備えている。
【００４４】
図１（ａ）及び（ｂ）に示すように、スライドカム２２のガイド溝２３に嵌合部インシュレータのガイド片１２の内側に設けられた突条部（レール）１９が装着されるとともに、ストッパ２５の一面側の回転軸２５ａが、ガイド片１２の軸孔１３に装着される。スライドカム２２のカム溝２４に、ストッパ２５の他面側の一端に設けられたガイド軸２５ｂが装着される。ストッパ２５及び，スライドカム２２は、嵌合部インシュレータ２０の可動インシュレータに対する第１の方向の動きをロックするロック機構を構成する。
【００４５】
次に、本発明の第１の実施の形態によるフローティングコネクタ１０１の組み立てについて、再び図３を用いて説明する。
【００４６】
まず、固定インシュレータ４０の上方から、第１のフローティングガイド片４２と可動インシュレータ３０の後方の係合溝３５とが嵌合される。次に、収容部３２内にコンタクト部１０が挿入される。
【００４７】
嵌合部インシュレータ２０のガイド片１２と、スライドカム２２とが突条部２１と、ガイド溝２３とが嵌合わされる。そして、ガイド片１２の軸孔１３に、ストッパ２５の回転軸２５ａが挿入され、また、スライドカム２２のカム溝２４にストッパ２５のガイド軸２５ｂが挿入される。その状態で、嵌合部インシュレータ２０の後端が、可動インシュレータ３０の収容部３２が収容される。その際に、コンタクト１の先端部４が嵌合部１８の溝１７に夫々圧入される。前述したように、コンタクト１は、その前後端寄りの部分で、固定インシュレータ４０と嵌合部インシュレータ２０に固定される。その状態で、図１（ａ）及び図１（ｂ）に示すように、フローティングコネクタ１０５の完成となる。
【００４８】
また、本発明の第１の実施の形態においては、スライドカム２２が相手側コネクタの挿入方向に位置するときには、ストッパ２５の一部或いは全部が可動インシュレータ内に入り込んでいる構成である。
【００４９】
次に，図１（ａ）に示す状態から図４、図５（ａ）および（ｂ）に示す相手側コネクタ１０２の嵌合動作について説明する。
【００５０】
相手側コネクタ、例えば，ＨＤＤ側のＳＡＴＡ用コネクタの嵌合前においては、ストッパ２５が、可動インシュレータの側部の溝３３の底部３３ａに当接しているために、嵌合方向、即ち、第１の方向においては、フローティングコネクタ１０５の嵌合部インシュレータ１２は、固定インシュレータ４０に対して、移動不可能であるが、図２に示すように、嵌合方向に交差する第２の方向３７及び第３の方向３６の面内には、フローティング可能である。相手側コネクタとの未接続時には、可動インシュレータ３０が、嵌合部インシュレータ２０に対して固定されているので、衝撃が加わっても、嵌合方向である第１の方向に動くことがない。
【００５１】
次に、嵌合時には、ＨＤＤ側のコネクタ１０２の一端６１ａがスライドカム２２の一端を第１の方向２６に押す。すると、カム溝２４内をガイド軸２５ｂが、スライドカム２２に対して前方に移動して、ストッパ２５を矢印２７に示すように回転させる。すると、ストッパ２５の一端部が回転して、可動インシュレータ３０との係合が外れる。従って、嵌合部インシュレータ２０は、第１の方向である嵌合方向２８にフローティング可能となる。なお、相手側コネクタとの嵌合後も第２の方向３７及び第３の方向３６の相手側コネクタの位置ズレを吸収することができる。このように、ロック機構によって相手側コネクタとの嵌合時に、相手側コネクタによりスライドカム２２を押圧してストッパ２５を回転させ、可動インシュレータ３０のロック解除を行うようにしたので、未嵌合時には固定され、嵌合後には、動くことができる。
【００５２】
また、本発明のフローティングコネクタ１０１においては、嵌合部インシュレータ２０は、相手側コネクタ１０２との嵌合が完了するまで固定され、嵌合完了後、ロック解除され、コネクタ嵌合方向へフローティング可能となり、第１乃至第３の方向へ、自由にフローティングすることができる。
【００５３】
また、本発明の第１の実施の形態によるフローティングコネクタにおいては、異なるコネクタ実装高さについては、コンタクトの曲げ形状を変えることにより、同一部材で対応することができる。
【００５４】
図７は本発明の第２の実施の形態によるフローティングコネクタを示す平面図であり、天井面を除去した図である。図８は図７のフローティングコネクタの裏面側を示す平面図である。図９は図７の天井面の一部を切り欠いた平面図である。図１０は図７のフローティングコネクタの天井面を除いた部分斜視図である。図１１は図８のフローティングコネクタの天井面を除いた部分斜視図であり、固定インシュレータ４０は二点鎖線で示される。図１２は図７に示すフローティングコネクタの裏面側から眺めた斜視図である。図１３は図７に示すフローティングコネクタの断面図である。図１４は図７のフローティングコネクタの固定インシュレータを示す斜視図であり、固定インシュレータの底板は省略されている。図１５は図７のフローティングコネクタの嵌合部インシュレータを示す図である。図１６（ａ）は図７のフローティングコネクタのスライドカムを示す斜視図、図１６（ｂ）は図１６（ａ）のフローティングコネクタの側面図である。図１７は図７のフローティングコネクタのストッパを示す斜視図である。尚、本発明の第１の実施の形態と同様の名称の部分は、同じ符号を用いている。
【００５５】
図７乃至図１３を参照すると、本発明の第２の実施の形態によるフローティングコネクタ１０３は、嵌合部インシュレータ２０と、嵌合部インシュレータ２０が挿入される固定インシュレータ４０と、嵌合部インシュレータ２０の両側に互いに対称となるように対向して配置された一対のスライドカム２２と、嵌合部インシュレータ２０の両側に互いに対称となるように対向して配置された一対のストッパ２５と、図示しないコンタクト部とを有する。コンタクト部は第１の実施の形態によるコンタクト部１０と同様の構成であるので、その図示は省略されている。
【００５６】
第２の実施の形態によるフローティングコネクタ１０３は、第１の実施の形態によるフローティングコネクタ１０１とは、可動インシュレータ３０が省略されているか、もしくは、可動インシュレータ３０と固定インシュレータ４０とが一体に形成されている点で異なり、第２の実施の形態においても、この固定インシュレータを同じ符号を用いて示す。
【００５７】
図１４に示すように、固定インシュレータ４０は、底板４７及び側板４８とを備えた箱形状である。前方の両側にガイド収容部７７と、その間に段をなして高さ寸法が狭くなった収容部３２とを備えている。側板４８の前端面は、後述するストッパ２５と当接する部分である。
【００５８】
図１５に最も良く示されるように、嵌合部インシュレータ２０は、嵌合部インシュレータ本体１１と、その両側で前方に尖った先端が突出した柱状の挿入ガイド１４と、その両側の後方よりに設けられた略Ｌ形状の第１のガイド部７５と、その後方両側に設けられた断面略Ｌ字形状の第２のガイド部７６と、板状の第３のガイド部２９を備えている。
【００５９】
図１０を参照すると、第１乃至第３のガイド部７５，７６，２９のなす空間内にストッパ２５が挿入され、その下にスライドカム２２が挿入されている。第２のガイド部７６は上方に突出した円筒状の突起部７３を有している。
【００６０】
図１７に示すように、ストッパ２５は、Ｌ字形状をなし、一面側に、円柱状の回転軸２５ａ、突起部２５ｄを備え、他面側に同じく円柱状のガイド軸２５ｂを備えている。図１３に最も良く示されるように、ストッパ２５の一面の回転軸２５ａは、第２のガイド部７６の天井板に設けられた軸孔１３に挿入さえる。また、ストッパーの突起部２５ｄと突起部７３との間には、ストッパ２５を第２のガイド部７６方向へと引っ張るコイルバネ７１が設けられている。
【００６１】
図１６（ａ）及び（ｂ）に示すように、スライドカム２２は、長四角板からなり、一角部は切り欠かれるとともに、上方に台形状の上面を備えて突出した台形部２２ａを備えている。また、長さ方向に沿って長いガイド溝２３が設けられている。さらに、スライドカム２２の下面中央に下方に突出する突起部２２ｃと、台形部２２ａとは反対側の端部で、且つ下方に円柱状の突起部２２ｂが設けられている。スライドカム２２の長孔２３内のストッパ２５のガイド軸２５ｂが挿入される。
【００６２】
図１１乃至１３及び図１５に示されるように、第３のガイド部２９は第１及び第２のガイド部７５，７６と一体に構成された板体からなり、中央部にＬ字形状のガイドのための貫通孔からなるカム溝２４を備え、また、前方には、下方に突出した突起部２９ａを備えている。スライドカム２５の突起部２２ｃは、第３のガイド部２９のＬ字状のカム溝２４に挿入されている。また、第３のガイド部２９の円柱状の突起部２９ａと、スライドカム２２の突起部２２ｂとの間にバネ７２が設けられ、スライドカム２９を前方に付勢している。
【００６３】
このように、２本のコイルバネ７１，７２によって、嵌合部インシュレータとストッパ、スライドカム等、固定インシュレータは、つりあっており、図示しない相手側コネクタと未嵌合状態では、常に一定の位置にある。
【００６４】
本発明の第２の実施の形態によるフローティングコネクタ１０３を組み立てるには、図１５に示す嵌合部インシュレータ２０に、図１６に示すスライドカム２２と、図１７に示すストッパ２５を装着した後、コイルバネ７１，７２を夫々装着し、固定インシュレータ４０に後方より装着すれば、図７に示すフローティングコネクタ１０３の完成となる。
【００６５】
次に本発明の第２の実施の形態のフローティングコネクタ１０３の作用について説明する。
【００６６】
第２の実施の形態によるフローティングコネクタ１０３は、嵌合方向を第１の方向（Ｚ軸方向）、幅方向を第３の方向（Ｙ軸方向）、上下方向を第２の方向（Ｘ軸方向）とすると、嵌合部インシュレータが固定インシュレータに対して上下方向、即ち、第２の方向に常に可動な状態にある。
【００６７】
図７乃至図１３に示すように、ストッパ２５が固定インシュレータ４０の側端面４６に当接している状態においては、ストッパ２５の一軸は第２のガイド部７６の天井面に挿入されているので、嵌合方向である第１の方向には移動しない。また、スライドカム２２が両側にあるために、固定インシュレータ４０に対して、幅方向である第３の方向にも移動不可能な状態にある。第２の実施の形態によるフローティングコネクタ１０３を図示しない相手側コネクタに嵌合させると、スライドカム２２の前端に相手側コネクタの先端部が当接して、スライドカム２２がコイルバネ７２の復帰力に抗して後方に押し込まれる。スライドカム２２が後方に押し込まれると、図１１に示すスライドカム２２の下部に突出した突起部２２ｃは、カム溝２４を第１の方向に相対移動し、カム溝２４のＬ字の交点まで移動する。この状態においては、スライドカム２２は、カム溝２４の第３の方向であるコネクタの幅方向に移動可能となり、したがって、嵌合部インシュレータ２０は、固定インシュレータ４０に対して第３の方向（幅方向）に可動となる。この状態で、固定インシュレータ４０を引き抜けば、再び嵌合部インシュレータ２０と相手側コネクタとを離脱させることができる。
【００６８】
また、嵌合状態で、ストッパ２５を左回りに回転させてロックを解除すれば、固定インシュレータ４０と嵌合部インシュレータ２０は、前後方向即ち、第１の方向に可動となる。また、嵌合部インシュレータ２０は、ストッパ２５の回転の際に、スライドカム２２を内側に押し込む力を与え、このストッパ２５の位置は、スライドカム２２の第２の方向の位置決めするために、スライドカム２２の固定インシュレータへの当接位置と、内部に収容された位置を、ストッパ２５の回転位置によって決定される。このストッパ位置は、コイルバネ７１のバネ力により決定される。
【００６９】
相手側コネクタとの嵌合の際は、そのコイルバネ７１の固定力に勝る挿入力により、スライトカムが押されることにより、嵌合インシュレータ２０とスライドカム２２の間に空間が発生し、第１〜第３の何れかの方向にフローティング可能となる。
【００７０】
このように、本発明の第２の実施の形態によるフローティングコネクタ１０３において、スライドカム２２は相手側コネクタの抜去方向に付勢されながら、嵌合部インシュレータ２０に第１の方向に移動可能に固定され、ストッパ２５は固定インシュレータ４０に固定され、スライドカム２２が相手側コネクタの抜去方向に突出状態の時には、ストッパ２５の一部が嵌合部インシュレータ２０内に入り込み、また、一部は固定インシュレータの側壁部に当接するように外方に露出している。
【００７１】
本発明の第２の実施の形態においては、スライドカム２２が相手側コネクタの挿入方向に位置するときには、ストッパ２５の一部は、嵌合部インシュレータ２０内に入り込んでいる構成であるが、ロックを解除したときに、全部が嵌合部インシュレータ２０内に入り込んでいる構成となる。
【００７２】
また、本発明の第２の実施の形態によるフローティングコネクタ１０３においては、第３のガイド部２９のスライドカム２２の突出部のカム溝２４をＬ字形状としたが、Ｒ状または円弧状とすることで、嵌合前は、第１及び第３の方向をロックし、嵌合の際、スライドカムを押圧しながら、幅方向の中心寄りに移動させ、このスライドカムの動きによって、ストッパが回転して、第１の方向のロックが解除され、第１の方向及び第３の方向へのフローティングが可能となるように構成することもできる。
【産業上の利用可能性】
【００７３】
以上説明したように、本発明に係るフローティングコネクタは、ＨＤＤのＳＡＴＡ用コネクタに接続されるコネクタのように、小さく且つ振動を受け易い部位のフローティングコネクタとして最適である。
【図面の簡単な説明】
【００７４】
【図１】（ａ）は本発明の実施の形態によるフローティングコネクタを示す正面図、（ｂ）は図１（ａ）のＩＢ−ＩＢ線断面を示す部分斜視図である。
【図２】図１（ａ）及び（ｂ）のフローティングコネクタを示す部分斜視図である。
【図３】図１（ａ）のフローティングコネクタの分解組立斜視図である。
【図４】（ａ）は図１のフローティングコネクタと、相手側コネクタとの嵌合状態を示す平面図、（ｂ）は（ａ）の正面図、（ｃ）は（ａ）の側面図である。
【図５】（ａ）は図４（ｂ）のＶＡ−ＶＡ線断面図、（ｂ）は図４（ｂ）のＶＢ−ＶＢ線に沿う断面図である。
【図６】（ａ）は図１（ａ）のコネクタの金属板を示す平面図、（ｂ）は斜視図、（ｃ）は正面図、（ｄ）は側面図である。
【図７】本発明の第２の実施の形態によるフローティングコネクタを示す平面図であり、天井面を除去した図である。
【図８】図７のフローティングコネクタの裏面側を示す平面図である。
【図９】図７の天井面の一部を切り欠いた平面図である。
【図１０】図７のフローティングコネクタの天井面を除いた部分斜視図である。
【図１１】図８のフローティングコネクタの天井面を除いた部分断面図である。
【図１２】図７に示すフローティングコネクタの裏面側から眺めた斜視図である。
【図１３】図７に示すフローティングコネクタの断面図である。
【図１４】図７のフローティングコネクタの固定インシュレータを示す斜視図である。
【図１５】図７のフローティングコネクタの嵌合部インシュレータを示す斜視図である。
【図１６】（ａ）は図７のフローティングコネクタのスライドカムを示す斜視図である。（ｂ）は（ａ）のフローティングコネクタの側面図である。
【図１７】図７のフローティングコネクタのストッパを示す斜視図である。
【図１８】（ａ）及び（ｂ）は従来技術によるフローティングコネクタの組み立て工程を示す断面図である。
【符号の説明】
【００７５】
１    コンタクト
１ａ    接触部
２ａ    端子部
２    支持部
３    元部
４    先端部
５    折り返し部
６    金属板
７    絶縁体
８    絶縁体の一部
９    絶縁体の保持部
１０    コンタクト部
１１    本体
１２    ガイド部
１３    軸孔
１５，１８    嵌合部
１６，１７    溝
１９    突条部
２０    嵌合部インシュレータ
２１    突条部
２２    スライドカム
２２ａ    台形部
２２ｂ    突起部
２２ｃ    突起部
２３    ガイド溝
２４    カム溝
２５    ストッパ
２５ａ    回転軸
２５ｂ    ガイド軸
２５ｃ    板体
２５ｄ    突起部
２９    第３のガイド部
３０    可動インシュレータ
３１    本体
３２    収容部
３３    溝
３３ａ    底部
３４    フローティング係合片
３５    係合溝
４０    固定インシュレータ
４１    本体
４２，４３    フローティングガイド片
４４，４５    段部
４７    底板
４８    側板
５１    スライドインシュレータ
５１ａ    係合部
５１ｂ    モールドイン部
５１ｃ    突出部
５２    ベースインシュレータ
５２ａ    モールドイン部
５２ｂ    底部
５３    コンタクト
５３ａ    一端部
５３ｂ    挿通部
５３ｃ    フローティング部
５３ｄ    挿通部
５３ｅ    他端部
６１    相手側インシュレータ
６３    相手側コンタクト
７５    第１のガイド部
７６    第２のガイド部
７７    ガイド収容部
７３    突起部
７１    コイルバネ
７２    バネ
１０１，１０３，１０５    フローティングコネクタ
１０２    相手側コネクタ
【図１】
2006059788.tif 000003
【図２】
2006059788.tif 000004
【図３】
2006059788.tif 000005
【図４】
2006059788.tif 000006
【図５】
2006059788.tif 000007
【図６】
2006059788.tif 000008
【図７】
2006059788.tif 000009
【図８】
2006059788.tif 000010
【図９】
2006059788.tif 000011
【図１０】
2006059788.tif 000012
【図１１】
2006059788.tif 000013
【図１２】
2006059788.tif 000014
【図１３】
2006059788.tif 000015
【図１４】
2006059788.tif 000016
【図１５】
2006059788.tif 000017
【図１６】
2006059788.tif 000018
【図１７】
2006059788.tif 000019
【図１８】
2006059788.tif 000020